(57)【要約】【課題】開口面積が大きくできかつ良好な意匠が確保できる建具および建具のシリーズを提供すること。【解決手段】無目６で仕切られた窓枠５の内部のうち、上側開口領域５Ａに上部障子１１を設けて上部窓１０が構成され、下側開口領域５Ｂに固定ガラスパネル２１を設けて下部窓２０が構成されるので、無目６のみで上部窓１０と下部窓２０との仕切り部分を構成することができ、仕切り部分の見付け寸法が小さくできる。従って、仕切り部分の枠材が目立たずに段窓１の意匠が良好にできるとともに、上部窓１０および下部窓２０における開口面積を大きく確保することができる。【選択図】図２
2009127401.tif 000002
【特許請求の範囲】
【請求項１】
上枠、下枠、および左右の縦枠を四周枠組みした窓枠と、
前記左右の縦枠間に架設されて前記窓枠内部を上下の開口領域に仕切る横材と、
前記横材で仕切られた上側の開口領域および下側の開口領域のそれぞれに支持される上側面材および下側面材とを備え、
前記横材は、前記上側面材を支持する上側支持部と、前記下側面材を支持する下側支持部とを有するとともに、これらの上側支持部と下側支持部とを上下に分ける仮想分割位置から下側の高さ寸法が前記上枠の高さ寸法と同一、かつ当該仮想分割位置から上側の高さ寸法が前記下枠の高さ寸法と同一に形成されている建具。
【請求項２】
前記上枠には、前記縦枠を貫通したビスと螺合する上枠ビスホールが形成され、前記下枠には、前記縦枠を貫通したビスと螺合する下枠ビスホールが形成され、
前記横材の上側支持部には、前記縦枠を貫通したビスと螺合する横材上側ビスホールが形成され、当該横材の下側支持部には、前記縦枠を貫通したビスと螺合する横材下側ビスホールが形成され、
前記下枠ビスホールと前記横材上側ビスホールとは、互いに同一見込み位置に形成されるとともに、前記下枠の下端縁から当該下枠ビスホールまでの距離と前記横材の仮想分割位置から当該横材上側ビスホールまでの距離とが同一とされ、
前記上枠ビスホールと前記横材下側ビスホールとは、互いに同一見込み位置に形成されるとともに、前記上枠の上端縁から当該上枠ビスホールまでの距離と前記横材の仮想分割位置から当該横材下側ビスホールまでの距離とが同一とされている請求項１に記載の建具。
【請求項３】
上枠、下枠、および左右の縦枠を四周枠組みした窓枠と、
前記上枠と下枠との間に架設されて前記窓枠内部を左右の開口領域に仕切る縦材と、
前記縦材で仕切られた左右一方側の開口領域および他方側の開口領域のそれぞれに支持される一方側面材および他方側面材とを備え、
前記縦材は、前記一方側面材を支持する一方側支持部と、前記他方側面材を支持する他方側支持部とを有するとともに、これらの一方側支持部と他方側支持部とを上下に分ける仮想分割位置から一方側の見付け寸法が前記左右一方側の縦枠の見付け寸法と同一、かつ当該仮想分割位置から他方側の見付け寸法が前記左右他方側の縦枠の見付け寸法と同一に形成されている建具。
【請求項４】
窓枠内に１枚の可動面材が開閉自在に支持された開閉単窓と、窓枠内に１枚の固定面材が開閉不能に支持された固定単窓と、窓枠内を横材で上下に仕切った上側の開口領域および下側の開口領域のそれぞれに上側面材および下側面材が支持された段窓とを少なくとも備える建具のシリーズであって、
前記開閉単窓、固定単窓および段窓における窓枠は、それぞれ上枠、下枠、および左右の縦枠を四周枠組みして形成され、当該開閉単窓の上枠、固定単窓の上枠および段窓の上枠は、互いに同一高さ寸法（ｈU ）に形成され、当該開閉単窓の下枠、固定単窓の下枠および段窓の下枠は、互いに同一高さ寸法（ｈL ）に形成され、
前記段窓において、前記横材は、前記上側面材を支持する上側支持部と、前記下側面材を支持する下側支持部とを有するとともに、これらの上側支持部と下側支持部とを上下に分ける仮想分割位置から下側の高さ寸法（ｈML）が前記上枠の高さ寸法（ｈU ）と同一、かつ当該仮想分割位置から上側の高さ寸法（ｈMU）が前記下枠の高さ寸法（ｈL ）と同一に形成されている建具のシリーズ。
【請求項５】
前記開閉単窓における前記可動面材の高さ寸法（ＨS0）は、当該開閉単窓の窓枠の高さ寸法（Ｈ0 ）を基準とし、この高さ寸法（Ｈ0 ）から所定の減算値（Ｈdef ）を減じた寸法に設定され、
前記段窓における下側面材が開閉可能に支持された下側可動面材である場合には、この下側可動面材の高さ寸法（ＨS1）は、当該段窓における下枠の下端縁から前記仮想分割位置までの高さ寸法（Ｈ1 ）を基準とし、この高さ寸法（Ｈ1 ）から前記減算値（Ｈdef ）を減じた寸法に設定され、
前記段窓における上側面材が開閉可能に支持された上側可動面材である場合には、この上側可動面材の高さ寸法（ＨS2）は、当該段窓における上枠の上端縁から前記仮想分割位置までの高さ寸法（Ｈ2 ）を基準とし、この高さ寸法（Ｈ2 ）から前記減算値（Ｈdef ）を減じた寸法に設定される請求項４に記載の建具のシリーズ。
【請求項６】
前記段窓における下側面材が開閉可能に支持された下側可動面材である場合には、当該段窓の下枠は、前記開閉単窓の下枠と共通部材から構成されるとともに、当該下側可動面材を閉鎖位置に位置決めする位置決め突片を有して構成され、
前記段窓における下側面材が開閉不能に支持された下側固定面材である場合には、当該段窓の下枠は、前記固定単窓の下枠と共通部材から構成されるとともに、当該下側固定面材の下端縁を支持する支持部材を有して構成され、
前記段窓における上側面材が開閉可能に支持された上側可動面材である場合には、当該段窓の上枠は、前記開閉単窓の上枠と共通部材から構成されるとともに、当該上側可動面材を閉鎖位置に位置決めする位置決め突片を有して形成され、
前記段窓における上側面材が開閉不能に支持された上側固定面材である場合には、当該段窓の上枠は、前記固定単窓の上枠と共通部材から構成されるとともに、当該上側固定面材の上端縁を支持する支持部材を有して構成される請求項４に記載の建具のシリーズ。
【請求項７】
前記段窓における下側面材が開閉可能に支持された下側可動面材である場合には、当該段窓における横材の下側支持部は、当該下側可動面材を閉鎖位置に位置決めする位置決め突片を有して構成され、
前記段窓における下側面材が開閉不能に支持された下側固定面材である場合には、当該段窓における横材の下側支持部は、当該下側固定面材の上端縁を支持する支持部材を有して構成され、
前記段窓における上側面材が開閉可能に支持された上側可動面材である場合には、当該段窓における横材の上側支持部は、当該上側可動面材を閉鎖位置に位置決めする位置決め突片を有して形成され、
前記段窓における上側面材が開閉不能に支持された上側固定面材である場合には、当該段窓における横材の上側支持部は、当該上側固定面材の下端縁を支持する支持部材を有して構成される請求項４に記載の建具のシリーズ。
【請求項８】
前記開閉単窓の縦枠は、前記可動面材を閉鎖位置に位置決めする位置決め突片を有して形成され、前記段窓の縦枠は、前記開閉単窓の縦枠と共通部材から構成され、
前記段窓における下側面材が開閉不能に支持された下側固定面材である場合には、前記下側の開口領域における当該段窓の縦枠に前記下側固定面材の側端縁を支持する支持部材が設けられ、
前記段窓における上側面材が開閉不能に支持された上側固定面材である場合には、前記上側の開口領域における当該段窓の縦枠に前記上側固定面材の側端縁を支持する支持部材が設けられ、
前記支持部材は、前記位置決め突片に係止されて前記段窓の縦枠に取り付けられている請求項４に記載の建具のシリーズ。
【発明の詳細な説明】
【技術分野】
【０００１】
本発明は、窓が上下または左右に連続して配置される段窓や連窓に類する建具および建具のシリーズに関する。
【背景技術】
【０００２】
上下に異なる開閉形式の窓（開閉不可の嵌め殺し窓を含む）を並べて構成される段窓の構造が提案されている（例えば、特許文献１参照）。
特許文献１に記載された段窓は、それぞれ上下左右の四周枠組みされた上窓枠および下窓枠と、上窓枠の下枠と下窓枠の上枠との間に設けられる無目とを備え、この無目を介して上窓枠と下窓枠とが連結されるとともに、上窓枠の内部に嵌め殺し面材（Ｆｉｘガラス）が支持され、下窓枠の内部に引き違い形式に開閉可能な一対の可動障子が支持された構成となっている。
【０００３】
【特許文献１】特開平１１−１９０１６９号公報
【発明の開示】
【発明が解決しようとする課題】
【０００４】
しかしながら、前記特許文献１に記載されたような従来の段窓では、無目の上下に上窓枠の下枠と下窓枠の上枠とが重なって配置されるため、これらを合わせた見付け寸法が大きくなってしまい、窓の意匠性が劣るとともに、有効な開口面積が小さくなり窓機能が制約を受けるという問題がある。
【０００５】
本発明の目的は、開口面積が大きくできかつ良好な意匠が確保できる建具および建具のシリーズを提供することにある。
【課題を解決するための手段】
【０００６】
本発明の建具は、上枠、下枠、および左右の縦枠を四周枠組みした窓枠と、前記左右の縦枠間に架設されて前記窓枠内部を上下の開口領域に仕切る横材と、前記横材で仕切られた上側の開口領域および下側の開口領域のそれぞれに支持される上側面材および下側面材とを備え、前記横材は、前記上側面材を支持する上側支持部と、前記下側面材を支持する下側支持部とを有するとともに、これらの上側支持部と下側支持部とを上下に分ける仮想分割位置から下側の高さ寸法が前記上枠の高さ寸法と同一、かつ当該仮想分割位置から上側の高さ寸法が前記下枠の高さ寸法と同一に形成されていることを特徴とする。
【０００７】
ここで、上側面材および下側面材としては、それぞれ各種の開閉形式に支持された可動面材（可動障子）であってもよく、また開閉不能に支持された固定面材（固定障子や固定パネル）であってもよい。そして、可動面材の開閉形式としては、引き違い形式や外開き形式、内開き形式、縦辷り出し形式、横辷り出し形式、突き出し形式、内倒し形式など、任意のものが適用可能である。また、上側面材および下側面材の両方が可動面材であってもよく、いずれか一方が可動面材で他方が固定面材であってもよく、両方が固定面材であってもよい。
【０００８】
以上の本発明によれば、縦枠間に架設した横材で窓枠内部を上下に仕切り、この横材で仕切られた上側の開口領域および下側の開口領域のそれぞれに上側面材および下側面材を設けることで、１つの窓枠内に段窓を構成することができる。これにより、上窓枠および下窓枠を無目で連結する従来の構造のように枠材（上窓枠の下枠、下窓枠の上枠、および無目）が重なることがなく、横材のみで上下の仕切り部分を構成することができ、仕切り部分の見付け寸法が小さくできる。従って、枠材が目立たずに建具の意匠が良好にできるとともに、上側面材および下側面材における開口面積を大きく確保することができる。
また、本発明の建具における横材では、仮想分割位置から下側の高さ寸法（下側支持部の高さ寸法）が上枠の高さ寸法と同一、かつ仮想分割位置から上側の高さ寸法（上側支持部の高さ寸法）が下枠の高さ寸法と同一に形成されている。すなわち、横材の高さ寸法（見付け寸法）が上枠および下枠の見付け寸法を合わせた寸法に設定されていることで、仮想分割位置を基準とした場合の上側開口領域および下側開口領域の高さ寸法が、前記上枠および下枠を有した単窓における開口高さ寸法と共通化できる。従って、上側開口領域および下側開口領域の高さ寸法に基づく上側面材および下側面材の製造上の寸法（呼び寸法）と、単窓の開口高さ寸法に基づく面材の呼び寸法とが、同一の算定式で算出できるので、各種の窓（段窓および単窓を含む同一シリーズの窓）を製造する際の煩雑さをなくして、製造効率を向上させることができる。
【０００９】
この際、本発明の建具では、前記上枠には、前記縦枠を貫通したビスと螺合する上枠ビスホールが形成され、前記下枠には、前記縦枠を貫通したビスと螺合する下枠ビスホールが形成され、前記横材の上側支持部には、前記縦枠を貫通したビスと螺合する横材上側ビスホールが形成され、当該横材の下側支持部には、前記縦枠を貫通したビスと螺合する横材下側ビスホールが形成され、前記下枠ビスホールと前記横材上側ビスホールとは、互いに同一見込み位置に形成されるとともに、前記下枠の下端縁から当該下枠ビスホールまでの距離と前記横材の仮想分割位置から当該横材上側ビスホールまでの距離とが同一とされ、前記上枠ビスホールと前記横材下側ビスホールとは、互いに同一見込み位置に形成されるとともに、前記上枠の上端縁から当該上枠ビスホールまでの距離と前記横材の仮想分割位置から当該横材下側ビスホールまでの距離とが同一とされていることが好ましい。
このような構成によれば、上枠における上枠ビスホールと横材における横材下側ビスホールとを相対的に同一位置に形成し、下枠における下枠ビスホールと横材における横材上側ビスホールとを相対的に同一位置に形成したことで、縦枠への孔開け加工の加工工程が共通化できるとともに、窓枠の枠組み作業および横材の固定作業の工程も共通化することができ、製造効率をさらに向上させることができる。
【００１０】
また、本発明の建具は、上枠、下枠、および左右の縦枠を四周枠組みした窓枠と、前記上枠と下枠との間に架設されて前記窓枠内部を左右の開口領域に仕切る縦材と、前記縦材で仕切られた左右一方側の開口領域および他方側の開口領域のそれぞれに支持される一方側面材および他方側面材とを備え、前記縦材は、前記一方側面材を支持する一方側支持部と、前記他方側面材を支持する他方側支持部とを有するとともに、これらの一方側支持部と他方側支持部とを上下に分ける仮想分割位置から一方側の見付け寸法が前記左右一方側の縦枠の見付け寸法と同一、かつ当該仮想分割位置から他方側の見付け寸法が前記左右他方側の縦枠の見付け寸法と同一に形成されているものでもよい。
このような本発明によれば、前述の段窓と同様に、縦材のみで左右の仕切り部分を構成することができ、仕切り部分の見付け寸法が小さくできるので、枠材が目立たずに建具の意匠が良好にできるとともに、一方側面材および他方側面材における開口面積を大きく確保することができる連窓が構成可能となる。
【００１１】
一方、本発明の建具のシリーズは、窓枠内に１枚の可動面材が開閉自在に支持された開閉単窓と、窓枠内に１枚の固定面材が開閉不能に支持された固定単窓と、窓枠内を横材で上下に仕切った上側の開口領域および下側の開口領域のそれぞれに上側面材および下側面材が支持された段窓とを少なくとも備える建具のシリーズであって、前記開閉単窓、固定単窓および段窓における窓枠は、それぞれ上枠、下枠、および左右の縦枠を四周枠組みして形成され、当該開閉単窓の上枠、固定単窓の上枠および段窓の上枠は、互いに同一高さ寸法（ｈU ）に形成され、当該開閉単窓の下枠、固定単窓の下枠および段窓の下枠は、互いに同一高さ寸法（ｈL ）に形成され、前記段窓において、前記横材は、前記上側面材を支持する上側支持部と、前記下側面材を支持する下側支持部とを有するとともに、これらの上側支持部と下側支持部とを上下に分ける仮想分割位置から下側の高さ寸法（ｈML）が前記上枠の高さ寸法（ｈU ）と同一、かつ当該仮想分割位置から上側の高さ寸法（ｈMU）が前記下枠の高さ寸法（ｈL ）と同一に形成されていることを特徴とする。
【００１２】
以上の本発明によれば、開閉単窓、固定単窓および段窓を備えた建具のシリーズにおいて、各窓における上枠および下枠を同一高さ寸法に形成したことで、シリーズとしての外観意匠を統一することができ、同一建物に各種の窓が設けられる際の意匠性向上を図ることができる。また、段窓における横材の仮想分割位置から下側の高さ寸法（ｈML）が上枠の高さ寸法（ｈU ）と同一、かつ仮想分割位置から上側の高さ寸法（ｈMU）が下枠の高さ寸法（ｈL ）と同一に形成されている。従って、段窓における上側開口領域および下側開口領域の高さ寸法と、開閉単窓や固定単窓の開口高さ寸法とが、同一の算定式で算出できるので、同一シリーズの窓において、基準の呼び寸法が統一でき、製造上の煩雑さをなくして、製造効率を向上させることができる。
【００１３】
この際、本発明の建具のシリーズでは、前記開閉単窓における前記可動面材の高さ寸法（ＨS0）は、当該開閉単窓の窓枠の高さ寸法（Ｈ0 ）を基準とし、この高さ寸法（Ｈ0 ）から所定の減算値（Ｈdef ）を減じた寸法に設定され、前記段窓における下側面材が開閉可能に支持された下側可動面材である場合には、この下側可動面材の高さ寸法（ＨS1）は、当該段窓における下枠の下端縁から前記仮想分割位置までの高さ寸法（Ｈ1 ）を基準とし、この高さ寸法（Ｈ1 ）から前記減算値（Ｈdef ）を減じた寸法に設定され、前記段窓における上側面材が開閉可能に支持された上側可動面材である場合には、この上側可動面材の高さ寸法（ＨS2）は、当該段窓における上枠の上端縁から前記仮想分割位置までの高さ寸法（Ｈ2 ）を基準とし、この高さ寸法（Ｈ2 ）から前記減算値（Ｈdef ）を減じた寸法に設定されることが好ましい。
このような構成によれば、開閉単窓における可動面材の高さ寸法（ＨS0）と、段窓における上側可動面材の高さ寸法（ＨS2）および下側可動面材の高さ寸法（ＨS1）とが、同一の減算値（Ｈdef ）を用いて算出される。従って、開閉単窓において基準となる窓枠の高さ寸法（Ｈ0 ）と、段窓において基準となる仮想分割位置の上側高さ寸法（Ｈ2 ）および仮想分割位置の下側高さ寸法（Ｈ1 ）とに基づいて、可動面材や上側可動面材、下側可動面材の高さ寸法を算出する際に間違いが生じにくくでき、建具のシリーズの製造効率を一層向上させることができる。
【００１４】
また、本発明の建具のシリーズでは、前記段窓における下側面材が開閉可能に支持された下側可動面材である場合には、当該段窓の下枠は、前記開閉単窓の下枠と共通部材から構成されるとともに、当該下側可動面材を閉鎖位置に位置決めする位置決め突片を有して構成され、前記段窓における下側面材が開閉不能に支持された下側固定面材である場合には、当該段窓の下枠は、前記固定単窓の下枠と共通部材から構成されるとともに、当該下側固定面材の下端縁を支持する支持部材を有して構成され、前記段窓における上側面材が開閉可能に支持された上側可動面材である場合には、当該段窓の上枠は、前記開閉単窓の上枠と共通部材から構成されるとともに、当該上側可動面材を閉鎖位置に位置決めする位置決め突片を有して形成され、前記段窓における上側面材が開閉不能に支持された上側固定面材である場合には、当該段窓の上枠は、前記固定単窓の上枠と共通部材から構成されるとともに、当該上側固定面材の上端縁を支持する支持部材を有して構成されることが好ましい。
このような構成によれば、段窓に上側可動面材を設けた場合の上枠および下側可動面材を設けた場合の下枠と、開閉単窓の上枠および下枠とが、位置決め突片を有した共通部材から構成される。また、段窓に上側固定面材を設けた場合の上枠および下側固定面材を設けた場合の下枠と、固定単窓の上枠および下枠とが、支持部材を有した共通部材から構成される。従って、建具のシリーズにおける部品の共通化を図ることができ、部品の製造コストが低減できるとともに部品管理上の手間が削減できる。
【００１５】
また、本発明の建具のシリーズでは、前記段窓における下側面材が開閉可能に支持された下側可動面材である場合には、当該段窓における横材の下側支持部は、当該下側可動面材を閉鎖位置に位置決めする位置決め突片を有して構成され、前記段窓における下側面材が開閉不能に支持された下側固定面材である場合には、当該段窓における横材の下側支持部は、当該下側固定面材の上端縁を支持する支持部材を有して構成され、前記段窓における上側面材が開閉可能に支持された上側可動面材である場合には、当該段窓における横材の上側支持部は、当該上側可動面材を閉鎖位置に位置決めする位置決め突片を有して形成され、前記段窓における上側面材が開閉不能に支持された上側固定面材である場合には、当該段窓における横材の上側支持部は、当該上側固定面材の下端縁を支持する支持部材を有して構成されることが好ましい。
このような構成によれば、段窓に上側可動面材を設けた場合の横材の上側支持部および下側可動面材を設けた場合の横材の下側支持部が、位置決め突片を有して構成されているので、前述のように上枠および下枠に位置決め突片を設けた場合と可動面材の位置決め構造が共通化できる。また、段窓に上側固定面材を設けた場合の横材の上側支持部および下側固定面材を設けた場合の横材の下側支持部が、支持部材を有して構成されているので、前述のように上枠および下枠に支持部材を設けた場合と固定面材の支持構造が共通化できる。
【００１６】
また、本発明の建具のシリーズでは、前記開閉単窓の縦枠は、前記可動面材を閉鎖位置に位置決めする位置決め突片を有して形成され、前記段窓の縦枠は、前記開閉単窓の縦枠と共通部材から構成され、前記段窓における下側面材が開閉不能に支持された下側固定面材である場合には、前記下側の開口領域における当該段窓の縦枠に前記下側固定面材の側端縁を支持する支持部材が設けられ、前記段窓における上側面材が開閉不能に支持された上側固定面材である場合には、前記上側の開口領域における当該段窓の縦枠に前記上側固定面材の側端縁を支持する支持部材が設けられ、前記支持部材は、前記位置決め突片に係止されて前記段窓の縦枠に取り付けられていることが好ましい。
このような構成によれば、段窓の縦枠と開閉単窓の縦枠とが位置決め突片を有した共通部材から構成されるので、部品の共通化を図ることができる。そして、段窓に上側固定面材を設ける場合や下側固定面材を設ける場合に、位置決め突片に係止される支持部材で上側固定面材や下側固定面材の側端縁が支持されるので、可動面材を設ける場合と固定面材を設ける場合とで縦枠に大掛かりな加工を施す必要がなく、製造効率を良好に維持することができる。
【発明を実施するための最良の形態】
【００１７】
以下、本発明の実施形態を図面に基づいて説明する。
図１は、本発明の実施形態に係る建具である段窓１を示す外観姿図である。図２は、段窓１を示す縦断面図である。図３は、段窓１の上部窓１０を示す横断面図である。図４は、段窓１の下部窓２０を示す横断面図である。
図１〜図４において、段窓１は、建物の外壁開口部に設けられて建物の室内空間と室外空間とを仕切る建具であり、外開きの開閉形式を有した上部窓１０と、嵌め殺しで開閉不能な下部窓２０とを備え、上部窓１０および下部窓２０を単一の窓枠５の内部において上下に並設して構成されている。
【００１８】
段窓１は、上枠２、下枠３、および左右の縦枠４を四周枠組みした窓枠５と、左右の縦枠４間に架設されて窓枠５の内部を上下の開口領域（上側開口領域５Ａと下側開口領域５Ｂ）に仕切る横材としての無目６と、上側開口領域５Ａに支持される上側面材としての上部障子１１および下側開口領域５Ｂに支持されるおよび下側面材としての固定ガラスパネル２１とを備えて構成されている。すなわち、上部窓１０は、開閉可能に支持された上側可動面材としての上部障子１１を備えて構成された開き窓であり、下部窓２０は、開閉不能に支持された下側固定面材である固定ガラスパネル２１を備えて構成された嵌め殺し窓（Ｆｉｘ窓）である。
【００１９】
窓枠５の上枠２は、図２に示すように、それぞれアルミ形材製の室内部材２Ａおよび室外部材２Ｂと、これらを連結する樹脂製の断熱部材（断熱ブリッジ）２Ｃとを有して構成されている。上枠２の室内部材２Ａには、その室内側端部から下方に延びる上枠延出片２Ｄが形成されており、この上枠延出片２Ｄの先端部室外側に設けられた気密材２Ｅが上部障子１１の室内面に当接可能とされ、すなわち上枠延出片２Ｄによって上部障子１１を閉鎖位置に位置決めする位置決め突片が構成されている。下枠３は、それぞれアルミ形材製の室内部材３Ａおよび室外部材３Ｂと、これらを連結する２つの樹脂製の断熱部材（断熱ブリッジ）３Ｃとを有して構成されている。下枠３の室外部材３Ｂには、その室外側端部から上方に延びる下枠延出片３Ｄが形成され、この下枠延出片３Ｄの先端部室内側に設けられた気密材３Ｅが固定ガラスパネル２１の室外面に当接可能とされている。また、室内部材３Ａの上側には、固定ガラスパネル２１の室内面に当接する支持部材としての下枠押縁材３Ｆが取り付けられており、下枠延出片３Ｄと下枠押縁材３Ｆとによって固定ガラスパネル２１の下端縁が見込み方向に挟持されるようになっている。
【００２０】
一方、窓枠５の縦枠４は、図３および図４に示すように、それぞれアルミ形材製の室内部材４Ａおよび室外部材４Ｂと、これらを連結する樹脂製の断熱部材（断熱ブリッジ）４Ｃとを有して構成されている。縦枠４の室内部材４Ａには、その室内側端部から見付け方向内側に延びる縦枠延出片４Ｄが形成されている。そして、図３に示すように、上部窓１０において、縦枠延出片４Ｄの先端部室外側には、上部障子１１の室内面に当接可能な気密材４Ｅが設けられている。すなわち縦枠延出片４Ｄによって上部障子１１を閉鎖位置に位置決めする位置決め突片が構成されている。一方、図４に示すように、下部窓２０において、縦枠４には、固定ガラスパネル２１の側端縁を支持する支持部材としての縦枠アタッチメント４Ｆが縦枠延出片４Ｄに係止されて取り付けられている。この縦枠アタッチメント４Ｆは、それぞれアルミ形材製の室内部材４Ｇおよび室外部材４Ｈと、これらを連結する樹脂製の断熱部材（断熱ブリッジ）４Ｊとを有して構成されている。そして、室外部材４Ｈには、固定ガラスパネル２１の室外面に当接する気密材４Ｋが取り付けられ、室内部材４Ｇには、固定ガラスパネル２１の室内面に当接する縦枠押縁材４Ｌが取り付けられている。
【００２１】
また、無目６は、図２に示すように、それぞれアルミ形材製中空状の室内部材６Ａおよび室外部材６Ｂと、これらを連結する２つの樹脂製の断熱部材（断熱ブリッジ）６Ｃとを有して構成されている。無目６の室内部材６Ａには、その室内側端部から上方に延びる室内延出片６Ｄが形成されており、この室内延出片６Ｄの先端部室外側に設けられた気密材６Ｅが上部障子１１の室内面に当接可能とされ、すなわち室内延出片６Ｄによって上部障子１１を閉鎖位置に位置決めする位置決め突片が構成されている。また、無目６の室外部材６Ｂには、その室外側端部から下方に延びる室外延出片６Ｆが形成され、この室外延出片６Ｆの先端部室内側に設けられた気密材６Ｇが固定ガラスパネル２１の室外面に当接可能とされている。また、室内部材６Ａの下側には、固定ガラスパネル２１の室内面に当接する支持部材としての無目押縁材６Ｈが取り付けられており、室外延出片６Ｆと無目押縁材６Ｈとによって固定ガラスパネル２１の上端縁が見込み方向に挟持されるようになっている。
【００２２】
一方、上部障子１１は、図１〜図３に示すように、上框１２、下框１３、および左右の縦框１４を四周框組みした内部に、ガラスパネル１５を嵌め込んで構成されている。この上部障子１１は、一方（図１中、左側）の縦框１４上下端部に設けられた回動ヒンジ１６（図２）を介して上枠２および無目６に支持され、回動ヒンジ１６の回動軸を中心に室外側に回動して開閉できるようになっている。また、上部障子１１における他方（図１中、右側）の縦框１４には、操作ハンドル１７が設けられ、操作ハンドル１７の操作により開閉操作可能で、また、縦枠４に設けられた施錠装置１８によって施錠できるようになっている。
【００２３】
上框１２、下框１３および縦框１４は、それぞれアルミ形材製の室内部材１２Ａ，１３Ａ，１４Ａおよび室外部材１２Ｂ，１３Ｂ，１４Ｂと、これらを連結する２つの樹脂製の断熱部材（断熱ブリッジ）１２Ｃ，１３Ｃ，１４Ｃとを有して構成されている。各室外部材１２Ｂ，１３Ｂ，１４Ｂには、その室外側端部から見付け方向内側に延びる延出片１２Ｄ，１３Ｄ，１４Ｄが形成され、これらの延出片１２Ｄ，１３Ｄ，１４Ｄの先端部室内側に設けられた気密材１２Ｅ，１３Ｅ，１４Ｅがガラスパネル１５の室外面に当接可能とされている。また、室内部材１２Ａ，１３Ａ，１４Ａの見付け方向内側には、ガラスパネル１５の室内面に当接する押縁材１２Ｆ，１３Ｆ，１４Ｆが取り付けられており、延出片１２Ｄ，１３Ｄ，１４Ｄと押縁材１２Ｆ，１３Ｆ，１４Ｆとによってガラスパネル１５の四周端縁が見込み方向に挟持されるようになっている。
【００２４】
以上において、上枠２、下枠３、縦枠４、無目６および上部障子１１の上框１２、下框１３、縦框１４は、互いに同一見込み寸法を有して形成されている。また、下枠３の下枠押縁材３Ｆと、縦枠４の縦枠押縁材４Ｌと、無目６の無目押縁材６Ｈと、上部障子１１の押縁材１２Ｆ，１３Ｆ，１４Ｆとは、同一断面を有した共通部材から構成されている。また、上枠２の上枠延出片２Ｄと、縦枠４の縦枠延出片４Ｄとは、同一断面に形成されている。さらに、下枠３の下枠延出片３Ｄと、無目６の室外延出片６Ｆと、上部障子１１の延出片１２Ｄ，１３Ｄ，１４Ｄとは、同一断面に形成されている。従って、上部窓１０における上部障子１１のガラスパネル１５と、下部窓２０における固定ガラスパネル２１とは、互いに同一見込み位置に設けられるようになっている。
【００２５】
次に、図１、図２および図５に基づいて、段窓１の各部寸法について詳しく説明する。ここで、図５は、上枠２、下枠３および無目６を拡大して示す縦断面図である。
段窓１において、窓枠５の高さ寸法（Ｈ0 ）は、図１および図２に示すように、上枠２の上端縁から下枠３の下端縁までの寸法として規定されており、この高さ寸法（Ｈ0 ）に基づいて縦枠４の切断寸法が決定される。また、無目６の高さ方向中間位置には、図２に示すように、当該無目６を上下に分ける仮想分割位置Ｓが設定されており、この仮想分割位置Ｓよりも上側が上側面材である上部障子１１を支持する上側支持部６１とされ、仮想分割位置Ｓよりも下側が下側面材である固定ガラスパネル２１を支持する下側支持部６２とされている。そして、窓枠５において、仮想分割位置Ｓよりも下側の高さ寸法、つまり下枠３の下端縁から仮想分割位置Ｓまでの高さ寸法（Ｈ1 ）が下部窓２０の基準高さ寸法（Ｈ1 ）とされ、仮想分割位置Ｓよりも上側の高さ寸法、つまり上枠の上端縁から仮想分割位置までの高さ寸法（Ｈ2 ）が上部窓１０の基準高さ寸法（Ｈ2 ）とされている。
【００２６】
また、上部障子１１の高さ寸法（ＨS2）は、上部窓１０の基準高さ寸法（Ｈ2 ）に基づいて設定される寸法であり、高さ寸法（Ｈ2 ）から所定の減算値（Ｈdef ）を減じた寸法に設定されている。この減算値（Ｈdef ）は、本実施形態の段窓１と、この段窓１と同一建具シリーズとして製造される後述する開き窓１Ａとで共通とされている。そして、減算値（Ｈdef ）は、例えば、４５mmなどの値に設定されており、従って、上部窓１０の基準高さ寸法（Ｈ2 ）が決まれば、一義的に上部障子１１の高さ寸法（ＨS2）が算出される（ＨS2＝Ｈ2−Ｈdef）ようになっている。このようにして算出される上部障子１１の高さ寸法（ＨS2）に基づいて上部障子１１の縦框１４の切断寸法が決定される。なお、本実施形態では、下側面材として固定ガラスパネル２１を設けたが、下側面材として下側可動面材（下部障子）を下部窓２０に設けた場合にも同様に、下部障子の高さ寸法（ＨS1）は、下部窓２０の基準高さ寸法（Ｈ1 ）に基づき、この高さ寸法（Ｈ1 ）から減算値（Ｈdef ）を減じた寸法（ＨS1＝Ｈ1−Ｈdef）に設定される。そして、下部障子の高さ寸法（ＨS1）に基づいて下部障子の縦框の切断寸法が決定される。
【００２７】
一方、図２および図５に示すように、上枠２の高さ寸法（ｈU ）は、当該上枠２の上端縁から上枠延出片２Ｄの先端までの寸法であり、下枠３の高さ寸法（ｈL ）は、当該下枠３の下端縁から下枠延出片３Ｄの先端までの寸法であり、それぞれ後述する開き窓１Ａおよび嵌め殺し窓１Ｂの上枠２，８および下枠３，７と同一寸法に設定されている。また、無目６における上側支持部６１の高さ寸法（ｈMU）は、仮想分割位置Ｓから室内延出片６Ｄの上端までの寸法で設定され、下側支持部６２の高さ寸法（ｈML）は、仮想分割位置Ｓから室外延出片６Ｆおよび無目押縁材６Ｈの下端までの寸法で設定されている。そして、上側支持部６１の高さ寸法（ｈMU）は、下枠３の高さ寸法（ｈL ）と同一に設定され、下側支持部６２の高さ寸法（ｈML）は、上枠２の高さ寸法（ｈU ）と同一に設定されている。すなわち、無目６の高さ寸法（ｈMU＋ｈML）は、上枠２と下枠３を合わせた高さ寸法（ｈU＋ｈL）に設定されている。
【００２８】
また、図５に示すように、上枠２には、縦枠４を貫通したビスが螺合される２つの上枠ビスホールＢ１，Ｂ２が形成され、下枠３には、縦枠４を貫通したビスが螺合される２つの下枠ビスホールＢ３，Ｂ４が形成されている。また、無目６における上側支持部６１には、２つの横材上側ビスホールＢ５，Ｂ６が形成され、下側支持部６２にも、２つの横材下側ビスホールＢ７，Ｂ８が形成されている。以上のビスホールＢ１〜Ｂ８のうち、上枠ビスホールＢ１，Ｂ２と無目６の横材下側ビスホールＢ７，Ｂ８とが相対的に同一位置に設けられ、下枠ビスホールＢ３，Ｂ４と無目６の横材上側ビスホールＢ５，Ｂ６とが相対的に同一位置に設けられている。
【００２９】
すなわち、上枠ビスホールＢ１は、上枠２の室外端から距離Ｌ１だけ室内側に入った見込み位置、かつ上枠２の上端縁から距離Ｖ１だけ下がった高さ位置に形成され、横材下側ビスホールＢ７も、無目６の室外端から距離Ｌ１だけ室内側に入った見込み位置、かつ仮想分割位置Ｓから距離Ｖ１だけ下がった高さ位置に形成されている。また、上枠ビスホールＢ２は、上枠２の室内端から距離Ｌ２だけ室外側に寄った見込み位置、かつ上枠２の上端縁から距離Ｖ２だけ下がった高さ位置に形成され、横材下側ビスホールＢ８も、無目６の室内端から距離Ｌ２だけ室外側に寄った見込み位置、かつ仮想分割位置Ｓから距離Ｖ２だけ下がった高さ位置に形成されている。
【００３０】
さらに、下枠ビスホールＢ３は、下枠３の室外端から距離Ｌ３だけ室内側に入った見込み位置、かつ下枠３の下端縁から距離Ｖ３だけ上がった高さ位置に形成され、横材上側ビスホールＢ５も、無目６の室外端から距離Ｌ３だけ室内側に入った見込み位置、かつ仮想分割位置Ｓから距離Ｖ３だけ上がった高さ位置に形成されている。また、下枠ビスホールＢ４は、下枠３の室内端から距離Ｌ４だけ室外側に寄った見込み位置、かつ下枠３の下端縁から距離Ｖ４だけ上がった高さ位置に形成され、横材上側ビスホールＢ６も、無目６の室内端から距離Ｌ４だけ室外側に寄った見込み位置、かつ仮想分割位置Ｓから距離Ｖ４だけ上がった高さ位置に形成されている。
【００３１】
次に、本実施形態の段窓１と同一建具シリーズとして製造される開閉単窓としての開き窓１Ａ、固定単窓としての嵌め殺し窓１Ｂ、および他の形態の段窓１Ｃについて、図６〜図８に基づいて説明する。
図６は、開き窓１Ａを示す縦断面図である。図７は、嵌め殺し窓１Ｂを示す縦断面図である。図８は、段窓１Ｃを示す縦断面図である。
図６において、開き窓１Ａは、前記段窓１と共通部材からなる上枠２および縦枠４と、段窓１とは異なる下枠７とを四周枠組みした窓枠５と、窓枠５内に１枚の可動面材である可動障子１１Ａが開閉自在に支持された開閉単窓である。可動障子１１Ａは、段窓１の上部障子１１と共通部材からなる上框１２、下框１３、縦框１４およびガラスパネル１５を有して構成されている。
【００３２】
開き窓１Ａの下枠７は、それぞれアルミ形材製の室内部材７Ａおよび室外部材７Ｂと、これらを連結する樹脂製の断熱部材（断熱ブリッジ）７Ｃとを有して構成されている。下枠７の室内部材７Ａには、その室内側端部から上方に延びる下枠延出片７Ｄが形成されており、この下枠延出片７Ｄの先端部室外側に設けられた気密材７Ｅが可動障子１１Ａの室内面に当接可能とされ、すなわち下枠延出片７Ｄによって可動障子１１Ａを閉鎖位置に位置決めする位置決め突片が構成されている。このような下枠７は、前記無目６の上側支持部６１と略同一の断面形状を有して形成されており、下枠７の高さ寸法（ｈL ）も下枠３および上側支持部６１の高さ寸法（ｈMU）と同一に設定されている。そして、開き窓１Ａにおいて、可動障子１１Ａの高さ寸法（ＨS ）は、窓枠５の高さ寸法（Ｈ0 ）を基準とし、この高さ寸法（Ｈ0 ）から減算値（Ｈdef ）を減じた寸法（ＨS＝Ｈ0−Ｈdef ）に設定されている。そして、可動障子１１Ａの高さ寸法（ＨS ）に基づいて可動障子１１Ａの縦框１４切断寸法が決定されるようになっている。
【００３３】
次に、図７において、嵌め殺し窓１Ｂは、前記段窓１と共通部材からなる下枠３および縦枠４と、段窓１とは異なる上枠８とを四周枠組みした窓枠５と、窓枠５内に１枚の固定面材である固定ガラスパネル２１Ａが開閉不能に支持された固定単窓である。嵌め殺し窓１Ｂの上枠８は、それぞれアルミ形材製の室内部材８Ａおよび室外部材８Ｂと、これらを連結する樹脂製の断熱部材（断熱ブリッジ）８Ｃとを有して構成されている。上枠８の室外部材８Ｂには、その室外側端部から下方に延びる上枠延出片８Ｄが形成され、この上枠延出片８Ｄの先端部室内側に設けられた気密材８Ｅが固定ガラスパネル２１Ａの室外面に当接可能とされている。また、室内部材８Ａの下側には、固定ガラスパネル２１Ａの室内面に当接する支持部材としての上枠押縁材８Ｆが取り付けられており、上枠延出片８Ｄと上枠押縁材８Ｆとによって固定ガラスパネル２１Ａの上端縁が見込み方向に挟持されるようになっている。このような上枠８は、前記無目６の下側支持部６２と略同一の断面形状を有して形成されており、上枠８の高さ寸法（ｈU ）も上枠２および下側支持部６２の高さ寸法（ｈMU）と同一に設定されている。
【００３４】
次に、図８において、段窓１Ｃは、前記段窓１と共通部材からなる上枠２、下枠３および縦枠４を四周枠組みした窓枠５と、無目６と、下部窓２０を構成する固定ガラスパネル２１とを備えて構成され、前記段窓１とは、上部窓１０に支持される上側可動面材としての上部障子１１Ｃの開閉形式が相違しているものである。この上部障子１１Ｃは、段窓１の上部障子１１と共通部材からなる上框１２、下框１３、縦框１４およびガラスパネル１５を有して構成されている。そして、上部障子１１Ｃは、上框１２の左右端部に設けられた回動ヒンジ（不図示）を介して縦枠４に支持され、室外側に回動して開閉できるようになっている。すなわち、上部障子１１Ｃは、突き出し形式で開閉可能に支持された上側可動障子である。また、上部障子１１Ｃにおける下框１３には、操作ハンドル１７が設けられ、操作ハンドル１７の操作により開閉操作可能で、無目６の上側支持部６１に設けられた施錠装置１８によって施錠できるようになっている。このような段窓１Ｃにおいて、上部障子１１Ｃの高さ寸法（ＨS2）は、前記段窓１の上部障子１１と同様に、上部窓１０の基準高さ寸法（Ｈ2 ）に基づき、この高さ寸法（Ｈ2 ）から減算値（Ｈdef ）を減じた寸法（ＨS2＝Ｈ2−Ｈdef）に設定されている。
【００３５】
このような本実施形態によれば、以下のような効果がある。
（１）すなわち、無目６で仕切られた窓枠５の内部のうち、上側開口領域５Ａに上部障子１１を設けて上部窓１０が構成され、下側開口領域５Ｂに固定ガラスパネル２１を設けて下部窓２０が構成されるので、無目６のみで上部窓１０と下部窓２０との仕切り部分を構成することができ、仕切り部分の見付け寸法が小さくできる。従って、仕切り部分の枠材が目立たずに段窓１の意匠が良好にできるとともに、上部窓１０および下部窓２０における開口面積を大きく確保することができる。
【００３６】
（２）また、段窓１，１Ｃにおける無目６の高さ寸法（ｈML＋ｈMU）が上枠２および下枠３のを合わせた高さ寸法（ｈU＋ｈL）と同一に形成されているので、段窓１，１Ｃに設けられる上部障子１１，１１Ｃの高さ寸法（ＨS2）と、開き窓１Ａにおける可動障子１１Ａの高さ寸法（ＨS ）とが、同一の算定式で算出できる。すなわち、開き窓１Ａにおいては、基準呼び寸法である高さ寸法（Ｈ0 ）から減算値（Ｈdef ）を減じた寸法（Ｈ0−Ｈdef ）が可動障子１１Ａの高さ寸法（ＨS ）となり、段窓１，１Ｃでは、基準呼び寸法である高さ寸法（Ｈ2 ）から減算値（Ｈdef ）を減じた寸法（Ｈ2−Ｈdef）が上部障子１１，１１Ｃの高さ寸法（ＨS2）となるので、同一の減算値（Ｈdef ）を用いることができる。従って、同一シリーズの建具において、基準の呼び寸法が統一でき、製造上の煩雑さをなくして、製造効率を向上させることができる。
【００３７】
（３）また、段窓１，１Ｃにおける上枠２および縦枠４と、開き窓１Ａにおける上枠２および縦枠４とが共通部材から構成され、段窓１，１Ｃにおける下枠３および縦枠４と、嵌め殺し窓１Ｂにおける下枠３および縦枠４とが共通部材から構成されている。また、段窓１，１Ｃにおける上部障子１１，１１Ｃと、開き窓１Ａにおける可動障子１１Ａとが共通部材から構成され、段窓１，１Ｃにおける固定ガラスパネル２１と、嵌め殺し窓１Ｂにおける固定ガラスパネル２１Ａとが共通部材から構成されている。従って、建具シリーズにおける部品の共通化を図ることができ、部品の製造コストが低減できるとともに部品管理上の手間が削減できる。
【００３８】
（４）さらに、段窓１，１Ｃにおける下枠押縁材３Ｆ、縦枠押縁材４Ｌ、無目押縁材６Ｈ、上部障子１１，１１Ｃの押縁材１２Ｆ，１３Ｆ，１４Ｆが同一断面を有した共通部材から構成され、これらの各部品が開き窓１Ａや嵌め殺し窓１Ｂにおいても利用できるので、部品の共通化をさらに促進させることができる。また、段窓１，１Ｃにおける上枠延出片２Ｄおよび縦枠延出片４Ｄが同一断面に形成され、下枠延出片３Ｄ、室外延出片６Ｆ、上部障子１１，１１Ｃの延出片１２Ｄ，１３Ｄ，１４Ｄが同一断面に形成されるとともに、上部障子１１のガラスパネル１５と固定ガラスパネル２１とが同一見込み位置に設けられているので、段窓１，１Ｃの外観意匠が良好にできる。さらに、段窓１，１Ｃと開き窓１Ａや嵌め殺し窓１Ｂとの外観デザインを統一することもでき、建具シリーズとしての意匠性を向上させることができる。
【００３９】
（５）また、段窓１，１Ｃにおいて、上枠２の上枠ビスホールＢ１，Ｂ２と無目６の横材下側ビスホールＢ７，Ｂ８とが相対的に同一位置に設けられ、下枠３の下枠ビスホールＢ３，Ｂ４と無目６の横材上側ビスホールＢ５，Ｂ６とが相対的に同一位置に設けられているので、縦枠４への孔開け加工の加工工程が共通化できるとともに、窓枠５の枠組み作業および無目６の固定作業の工程も共通化することができ、製造効率をさらに向上させることができる。
【００４０】
なお、本発明は、前記実施形態に限定されるものではなく、本発明の目的を達成できる他の構成等を含み、以下に示すような変形等も本発明に含まれる。
例えば、前記実施形態においては、段窓１，１Ｃにおいて、上部窓１０に上部障子１１，１１Ｃ（上側可動面材）を開閉可能に設け、下部窓２０に固定ガラスパネル２１（下部固定面材）を開閉不能に設けたが、可動面材および固定面材の上下配置は任意である。すなわち、上側開口領域５Ａに固定面材（上側固定面材）を設けて上部窓１０を構成し、下側開口領域５Ｂに可動面材（下側可動面材）を設けて下部窓２０を構成してもよい。さらに、上側開口領域５Ａおよび下側開口領域５Ｂの両方に固定面材（上側固定面材および下側固定面材）を設けてもよく、両方に可動面材（上側可動面材および下側可動面材）を設けてもよい。
【００４１】
また、可動面材の開閉形式としては、段窓１の上部障子１１のような外開き形式や、段窓１Ｃの上部障子１１Ｃのような突き出し形式に限らず、任意の開閉形式が採用できる。すなわち、引き違い形式や内開き形式、縦辷り出し形式、横辷り出し形式、内倒し形式など、任意の開閉形式が適用可能である。これと同様に、建具シリーズの開閉単窓における可動面材の開閉形式としても、外開き形式に限らず、引き違い形式や内開き形式、縦辷り出し形式、横辷り出し形式、突き出し形式、内倒し形式など、任意のものが適用可能である。
また、前記実施形態においては、段窓１，１Ｃの下部窓２０に固定ガラスパネル２１（下部固定面材）を開閉不能に設けたが、固定面材としては、ガラスパネル等で構成されるものに限らず、上部障子１１等と同様に、上框、下框および左右の縦框を四周框組みした内部にガラスパネル等を嵌め込んで構成された固定障子でもよい。このような固定障子を用いれば、固定障子と可動障子とで外観を統一することができ、段窓の意匠性をさらに向上させることも可能となる。
【００４２】
また、本発明の建具としては、前記実施形態で説明したような段窓１，１Ｃに限らず、以下の図９に示すような連窓３０であってもよい。そして、本発明の建具のシリーズとしては、前述の段窓１，１Ｃや開き窓１Ａ、嵌め殺し窓１Ｂ等に加えて、連窓３０を含んで構成されていてもよい。
連窓３０は、上枠、下枠、および左右の縦枠３１，３２を有した窓枠３３と、この窓枠３３内部を左右の開口領域に仕切る縦材である縦骨３４と、縦骨３４で仕切られた左右一方側（図９中、右側）の開口領域に支持される固定ガラスパネル（一方側面材）３５と、他方側（図９中、左側）の開口領域に支持される可動障子（他方側面材）３６とを備えて構成されている。この可動障子３６は、前記実施形態の段窓１における上部障子１１と略同一の構成を有している。
【００４３】
連窓３０の縦枠３１，３２は、前記実施形態の段窓１における縦枠４と共通部材から構成され、一方側の縦枠３１と他方側の縦枠３２とは、室内外が逆向きとなるように（点対称に）配置されている。また、縦骨３４には、固定ガラスパネル３５の側端縁を支持する第１支持部（一方側支持部）３４１と、可動障子３６の開放側縦框を支持する第２支持部（他方側支持部）３４２とが、仮想分割位置Ｓを挟んで配置されている。第１支持部３４１の見付け寸法ｗM1は、一方側の縦枠３１の見付け寸法ｗV1と同一に設定され、第２支持部３４２の見付け寸法ｗM2は、他方側の縦枠３２の見付け寸法ｗV2と同一に設定されている。また、連窓３０全体の幅寸法Ｗ0において、縦骨３４の仮想分割位置Ｓよりも一方側（右側）の幅寸法Ｗ1と、仮想分割位置Ｓよりも他方側（左側）の幅寸法Ｗ2とは、それぞれ一方側面材および他方側面材の基準幅寸法（呼び寸法）とされており、この基準幅寸法に基づいて固定ガラスパネル３５や可動障子３６の製造寸法が決定されるようになっている。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の実施形態に係る建具を示す外観姿図である。
【図２】前記建具を示す縦断面図である。
【図３】前記建具の上部を示す横断面図である。
【図４】前記建具の下部を示す横断面図である。
【図５】前記建具における上枠、下枠、横材を拡大して示す縦断面図である。
【図６】前記建具と同一シリーズの建具を示す縦断面図である。
【図７】前記建具と同一シリーズの他の建具を示す縦断面図である。
【図８】前記建具と同一シリーズの他の建具を示す縦断面図である。
【図９】本発明の変形例に係る建具を示す横断面図である。
【符号の説明】
【００４６】
１，１Ｃ…段窓、１Ａ…開き窓（開閉単窓）、１Ｂ…嵌め殺し窓（固定単窓）、２，８…上枠、２Ｄ…上枠延出片（位置決め突片）、３，７…下枠、３Ｆ…下枠押縁材（支持部材）、４…縦枠、４Ｄ…縦枠延出片（位置決め突片）、４Ｆ…縦枠アタッチメント（支持部材）、５…窓枠、５Ａ…上側開口領域、５Ｂ…下側開口領域、６…無目（横材）、６Ｄ…室内延出片（位置決め突片）、６Ｈ…無目押縁材（支持部材）、７Ｄ…下枠延出片（位置決め突片）、８Ｆ…上枠押縁材（支持部材）、１１，１１Ｃ…上部障子（上側可動面材）、１１Ａ…可動障子（可動面材）、２１…固定ガラスパネル（下側固定面材）、２１Ａ…固定ガラスパネル（固定面材）、３０…連窓、３１，３２…縦枠、３３…窓枠、３４…縦骨（縦材）、３４１…第１支持部（一方側支持部）、３４２…第２支持部（他方側支持部）、６１…上側支持部、６２…下側支持部、Ｂ１，Ｂ２…上枠ビスホール、Ｂ３，Ｂ４…下枠ビスホール、Ｂ５，Ｂ６…横材上側ビスホール、Ｂ７，Ｂ８…横材下側ビスホール、Ｓ…仮想分割位置。
【図１】
2009127401.tif 000003
【図２】
2009127401.tif 000004
【図３】
2009127401.tif 000005
【図４】
2009127401.tif 000006
【図５】
2009127401.tif 000007
【図６】
2009127401.tif 000008
【図７】
2009127401.tif 000009
【図８】
2009127401.tif 000010
【図９】
2009127401.tif 000011